(57)【要約】【課題】装置の包装ラインに極めて近接した位置への比較的に嵩張る切断装置の強制的な配置から導かれた欠点の影響を受けないような製品包装装置における包装材料の供給方法を提供する。【解決手段】多層材料の連続ストリップ１０を単一の薄片１６に分離する工程と、単一の薄片１６を包装ユニット６に供給する工程と、を含む方法によって、包装材料は、たばこ包装装置などのような包装装置の折り畳み位置に供給される。連続ストリップを単一の薄片に分離する工程は、レーザ装置１３を用いて、多層連続ストリップの少なくとも１層２１を無傷で残しつつ連続ストリップに部分的な切り込みを形成する第１段階と、切り裂き装置１５を用いて、部分的な切り込み工程で作り出された切り込みライン２２に沿って切り離すことによって単一の薄片１６に引き離す第２段階と、を兼ね備える。【選択図】図１
2011020743.tif 000002
【特許請求の範囲】
【請求項１】
製品包装装置における包装材料の供給方法であって、
多層材料の連続ストリップ（１０）を、分離した薄片（１６）に分離する工程と、包装ユニット（６）に前記薄片（１６）を供給する工程と、を備え、
前記連続ストリップ（１０）を前記薄片（１６）に分離する前記工程は、レーザ装置（１３）を用いて、前記多層のうちの少なくとも１層（２１）を無傷で残しつつ前記連続ストリップ（１０）に部分的な切り込みを形成する第１工程と、切り裂き装置（１５）を用いて、前記部分的な切り込み工程によって作り出された切り込みライン（２２）に沿って切り離すことによって単一の前記薄片（１６）に引き離す第２工程と、を含むことを特徴とする製品包装装置における包装材料の供給方法。
【請求項２】
前記部分的な切り込み工程後で、かつ、分離した前記薄片の引き離し工程前に、既定の経路（Ｐ１）に沿って前記連続ストリップ（１０）を供給する工程を含む請求項１に記載の方法。
【請求項３】
請求項１又は２に記載の方法で稼働する製品包装装置における包装材料の供給ユニットであって、
多層材料の前記多層ストリップ（１０）は、前記レーザ装置（１３）によって使用される切り込み周波数に実質的に反応しない材料の層（２１）を備えることを特徴とする製品包装装置における包装材料の供給ユニット。
【請求項４】
前記切り裂き装置（１５）は第１の一対のローラ（１７）と第２の一対のローラ（１８）とを備えており、各一対の前記ローラは一方が他方に対して実質的に接しつつ回転し、前記第２の一対のローラは、前記第１の一対のローラ（１７）の接線速度よりも大きな接線速度で回転する請求項３に記載の供給ユニット。
【請求項５】
レーザ周波数に反応しない前記材料の層（２１）はポリエチレンテレフタレート（ＰＥＴ）である請求項３又は４に記載の供給ユニット。
【請求項６】
前記ストリップは紙材料の外側層（１９）を備える請求項５に記載の供給ユニット。
【発明の詳細な説明】
【技術分野】
【０００１】
本発明は、製品包装装置における包装材料の供給方法に関し、また、そうした方法を実行するための供給ユニットに関する。
【背景技術】
【０００２】
当該タイプの従来型のユニットは、ロールから紙材料の連続ストリップを巻きほどく手段と、分離した薄片にストリップを分離する切断装置と、一例として例えば一群のたばこなどの製品の包装のためにユニット又はラインに単一の薄片を供給する供給手段と、を備える。
【０００３】
従来型の供給ユニットでは、切断装置は、刃を備える１対の反対回転ローラを概して備えており、当該ローラは、連続ストリップが辿る経路に沿って配置されており、また、包装ラインにできる限り近い位置に配置されている。
【０００４】
このタイプの配置は、装置の寸法及び装置の総合的な配置に起因して必ずしも簡単に達成されないものの、比較的に長い供給経路に沿って薄片を運搬することを回避するために好ましい。
【発明の概要】
【０００５】
自明なことに、事実上、長い運搬距離は、包装ライン上へ送られる関連製品との初期接触の瞬間に薄片を穏やかに扱いつつ正確に位置決めすることを保証するために必要とされる極めて複雑で高価な案内システム及び点検システムを使用することを決定づけてしまう。
【０００６】
この欠点に加えて、前述のタイプの切断装置に使用されている刃は頻繁に研がれることが必要であり、頻繁に交換されることが必要であるといった事実がある。
【０００７】
また、上述されたタイプの包装装置では多層の包装材料を使用することが慣行である。
【０００８】
このタイプの材料は、例えば１層の紙材料層と少なくとも１層の熱可塑性樹脂材料層とから構成されるそれらの多層構造によって、強度、外観及び堅固さに関して特有の性質を示している。
【０００９】
本発明の目的は、従来技術に関連して上述された欠点の影響を受けないような、すなわち、装置の包装ラインに極めて近接した位置への比較的に嵩張る切断装置の強制的な配置から導かれた欠点の影響を受けないような製品包装装置における包装材料の供給方法を提供することを目的とする。
【００１０】
本発明のさらなる目的は、開示された方法を実行することが可能なユニットを提供することである。
【００１１】
説明された目的は、添付の特許請求の範囲の１以上に列挙されたような必須の特徴を有する製品包装装置における包装材料の供給方法及び供給ユニットにおいて十分に実現される。
【図面の簡単な説明】
【００１２】
【図１】本発明に係る包装材料供給ユニットの概略正面図である。
【図２】図１の詳細を示す拡大断面図である。
【図３】図２の詳細を示す斜視図である。
【発明を実施するための形態】
【００１３】
本発明は、添付の図面の助けを借りて一例としてここに詳細に説明されるであろう。
【００１４】
図１を参照すると、符号１は、製品包装装置、例えば、たばこ包装装置を示しており、このたばこ包装装置は、平行六面体のブロックとして概略的に図示された一群のたばこから構成された製品２を包装するように構成されている。
【００１５】
装置１はフレーム３を備えており、前記フレーム３の正面は垂直の壁４を示している。この壁４にはユニットすなわち装置５が装着されており、この装置５によって包装ユニットすなわち包装ライン６に包装材料が供給される。この包装材料の供給は、水平コンベヤ７に沿って前進する製品２を包装ライン６が受け取る際に実施される。
【００１６】
供給ユニット５は、壁４に直交して配置されてロール９を保持するシャフト８を備えており、前記ロール９から経路Ｐに沿って包装材料の連続ストリップ１０が巻きほどかれる。前記経路Ｐは、図１のＦで表された矢印で示された供給方向に沿って配列された複数の案内ローラ１１ａ、１１ｂ、１１ｃによって確立される。前記案内ローラ１１ａ、１１ｂ、１１ｃはシャフト８の軸線に平行な軸線回りでそれぞれ回転可能である。
【００１７】
前述の２つのローラ１１ａ、１１ｂの間の１２で表された位置で、前進するストリップ１０には、１３で表されたブロックとして概略的に図示されたレーザ装置によって部分的に切り込みが入れられる。
【００１８】
供給経路Ｐの垂直区間に沿って、１１ｃで表された案内ローラより下流の先の位置１４には引き裂き装置１５が配置されている。この引き裂き装置１５によって、連続ストリップ１０から単一の薄片１６が切り離されて包装ユニット６に投下される。この包装ユニット６では、各単一の薄片１６はそれぞれの製品２の周囲に巻き付けられることになる。
【００１９】
引き裂き装置１５は、１７及び１８でそれぞれ表された第１の一対のローラと第２の一対のローラとを備える。各一対のローラ１７及び１８は、一方が他方に対して実質的に接しつつ回転しており、第２の一対のローラ１８は、第１の一対のローラ１７の接線速度よりも大きな接線速度で駆動されている。
【００２０】
図２及び図３を特に参照すると、ロール９から巻きほどかれた包装材料のストリップ１０は多層構造を有する。この多層構造は、紙材料層１９と、ポリエチレン層２０と、この２つの紙材料層１９及びポリエチレン層２０の間に挟み込まれたポリエチレンテレフタレート層２１と、を備える。
【００２１】
ポリエチレンテレフタレート（ＰＥＴ）は、食品と接触する使用に特に適した熱可塑性樹脂であり、レーザ切り込み装置で使用される少なくともある特定の周波数にほぼ反応しない性質も有する。
【００２２】
稼働中、ストリップ１０は、それが部分切り込み位置１２を通過するとき、単一の薄片１６の長さに応じて規則的な間隔でレーザ装置１３の作用を受ける。さらに正確には、レーザビームは、ストリップ１０を横切るライン２２の切り込みを入れ、このライン２２の切り込みは紙材料層１９の端から端まで入るとともにＰＥＴ層のところまでしか達しない。
【００２３】
レーザ装置で形成されたこれらの切り込みライン２２はストリップ１０を弱めるために役立ち、その結果、ストリップ１０が、供給経路Ｐの先の区間Ｐ１に沿って引っ張られて、１４で表された位置に進入すると、ストリップ１０は、弱められた領域で引き裂き装置１５によって一連の単一の薄片１６に切り離されることになる。
【００２４】
従来技術を代表する方法とは対照的に、本発明に係るストリップの材料の供給方法及び供給ユニット５を採用することによって、包装材料のストリップ１０に部分的な切り込みを入れるために使用される装置１３が、包装ユニットから都合の良い距離で配置されることが可能であり、包装材料の単一の薄片１６が、複雑な案内システム及び検査システムの設置を必要とせずに包装ライン６に正確に供給されることも可能である。
【符号の説明】
【００２５】
１    製品包装装置
２    製品
３    フレーム
４    壁
５    装置
６    包装ライン、包装ユニット
７    水平コンベヤ
８    シャフト
９    ロール
１０    ストリップ、連続ストリップ
１１ａ    案内ローラ
１１ｂ    案内ローラ
１１ｃ    案内ローラ
１２    位置
１３    レーザ装置
１４    位置
１５    引き裂き装置
１６    薄片
１７    第１の一対のローラ
１８    第２の一対のローラ
１９    紙材料層
２０    ポリエチレン層
２１    ポリエチレンテレフタレート層
２２    ライン、切り込みライン
Ｐ    経路、供給経路
Ｐ１    経路、区間
【図１】
2011020743.tif 000003
【図２】
2011020743.tif 000004
【図３】
2011020743.tif 000005